(57)【要約】【課題】本発明は、筐体の大型化を抑制しつつ、音質を向上し、かつ使い勝手のよい電子機器を提供する。【解決手段】ポータブルコンピュータ１０は、スピーカー装置５０と、第１の筐体２１と、を備える。スピーカー装置５０は、スピーカー本体５５と、スピーカー本体５５を収容するスピーカーハウジング５４と、を備える。第１の筐体２１の下壁２４ａに、下方に向かって膨らむとともに、内側にスピーカーハウジング５４の少なくとも一部を収容する膨らみ部７１を設ける。【選択図】図２
2006311388.tif 000002
【特許請求の範囲】
【請求項１】
スピーカー本体と、前記スピーカー本体を収容するスピーカーハウジングと、を備えるスピーカー装置と、
前記スピーカー装置を収容する筐体と、
を具備し、
前記筐体の下壁には、下方に向かって膨らむとともに、内側に前記スピーカーハウジングの少なくとも一部を収容する膨らみ部が設けられることを特徴とする電子機器。
【請求項２】
前記膨らみ部は、前記下壁の一部が膨らむことによって形成されることを特徴とする請求項１に記載の電子機器。
【請求項３】
前記膨らみ部の下端の少なくとも一部には、ゴム脚が設けられ、
前記ゴム脚において、前記筐体が置かれる載置部に向かう先端は、前記筐体が前記載置部に置かれたときに、前記載置部に向かって最も突出することを特徴とする請求項２に記載の電子機器。
【請求項４】
前記ゴム脚は、前記膨らみ部の全域に設けられることを特徴とする請求項３に記載の電子機器。
【請求項５】
前記膨らみ部は、前記下壁において前記膨らみ部が形成されるべき範囲に形成される貫通孔の縁部に、上方に向かって開口する凹状であってゴム製の膨らみ部材が設けられることによって形成されることを特徴とする請求項１に記載の電子機器。
【請求項６】
前記膨らみ部は、前記筐体が置かれる載置部に前記筐体が置かれたときに、前記載置部に向かって最も突出することを特徴とする請求項５に記載の電子機器。
【請求項７】
前記筐体側の部材と前記スピーカーハウジングとの間には、緩衝材が設けられることを特徴とする請求項１に記載の電子機器。
【発明の詳細な説明】
【技術分野】
【０００１】
本発明は、スピーカー装置を収容する筐体を具備する電子機器に関する。
【背景技術】
【０００２】
電子機器の一例として、ポータブルコンピュータでは、映像や音楽など、音を再生するスピーカー装置を、筐体内に収容するものがある。
【０００３】
この種のスピーカー装置は、スピーカー本体と、スピーカー本体を収容するスピーカーハウジングと、を備えている。
【０００４】
この種のスピーカー装置では、音質の向上のために、スピーカーハウジングを大きくすることが考えられる。
【０００５】
一方、ポータブルコンピュータを持ち運びやすくするために、ポータブルコンピュータは、コンパクトに形成されることが望まれている。
【０００６】
それゆえ、音質向上のためにスピーカーハウジングを高さ方向に大きくすると、ポータブルコンピュータの厚みが増すことになり、ポータブルコンピュータが大型化してしまう。
【０００７】
また、スピーカーハウジングを幅方向に大きくすると、ポータブルコンピュータの筐体内においてスピーカーハウジングの占める面積が広くなってしまう。この場合、ポータブルコンピュータの筐体内に収容される基板など他の部品とスピーカーハウジングとが干渉することを防ぐために、基板など他の部品を小型化しなくてはならなくなる。基板など他の部品を小型化することは、好ましくない。
【０００８】
このため、ポータブルコンピュータの使用時にスピーカーハウジングの容積を変動することによって、音質の向上を図るスピーカー装置が提案されている（例えば、特許文献１参照。）。
【特許文献１】特開２００４−５６１８５号公報
【発明の開示】
【発明が解決しようとする課題】
【０００９】
しかし、特許文献１に開示されているスピーカー装置では、スピーカーハウジングの容積を変動させることによって、スピーカーハウジングの一部は、キーボードが設けられる面上に突出する。それゆえ、使用者にとって、ポータブルコンピュータの使い勝手が悪くなることが考えられる。
【００１０】
したがって、本発明は、筐体の大型化を抑制しつつ、音質を向上し、かつ使い勝手のよい電子機器を提供することを目的とする。
【課題を解決するための手段】
【００１１】
上記目的を達成するため、本発明の１つの形態に係る電子機器は、スピーカー装置と、筐体と、を備える。前記スピーカー装置は、スピーカー本体と、前記スピーカー本体を収容するスピーカーハウジングと、を備える。前記筐体の下壁に、下方に向かって膨らむとともに、内側に前記スピーカーハウジングの少なくとも一部を収容する膨らみ部を設ける。
【発明の効果】
【００１２】
本発明によれば、本発明は、筐体の大型化を抑制しつつ、音質を向上し、かつ使い勝手のよい電子機器を提供することができる。
【発明を実施するための最良の形態】
【００１３】
本発明の第１の実施形態に係る電子機器について、ポータブルコンピュータ１０を一例に、図１から図５を用いて説明する。
【００１４】
図１は、ポータブルコンピュータ１０を示している。図１に示すように、ポータブルコンピュータ１０は、コンピュータ本体２０と、表示ユニット３０と、を備えている。
【００１５】
コンピュータ本体２０は、第１の筐体２１と、キーボード２２と、スピーカー装置５０（図２に示す）と、などを備えている。第１の筐体２１は、本発明で言う、筐体の一例である。第１の筐体２１は、扁平な箱状である。第１の筐体２１の内部には、ハードディスクドライブや基板６０などの部品が収容されている。
【００１６】
第１の筐体２１は、カバー部２３と、ベース部２４と、キーボード押え部材２５と、を備えている。
【００１７】
カバー部２３は、第１の筐体２１の上部を構成している。ベース部２４は、第１の筐体２１の下部を構成している。
【００１８】
カバー部２３は、下方に開口している。カバー部２３は、上壁２３ａと、カバー部前壁２３ｂと、カバー部左壁２３ｃと、カバー部右壁２３ｄ（図３に示す）と、カバー部後壁２３ｅ（図３に示す）と、を有している。
【００１９】
上壁２３ａの上面には、キーボード２２が設けられている。キーボード２２は、上壁２３ａの略中央に設けられている。上壁２３ａの後端部には、キーボード押え部材２５が設けられている。キーボード押え部材２５は、上壁２３ａの後端部に、上側から重ねられている。
【００２０】
カバー部前壁２３ｂは、上壁２３ａの前縁に形成されており、下方に向かって延びている。カバー部左壁２３ｃは、上壁２３ａの左縁に形成されており、下方に向かって延びている。カバー部右壁２３ｄは、上壁２３ａの右縁に形成されており、下方に向かって延びている。カバー部後壁２３ｅは、上壁２３ａの後縁に形成されており、下方に向かって延びている。
【００２１】
ベース部２４は、上方に開口している。ベース部２４は、下壁２４ａ（図２に示す）と、ベース部前壁２４ｂと、ベース部左壁２４ｃと、ベース部右壁２４ｄ（図３に示す）と、ベース部後壁２４ｅ（図２に示す）と、を有している。
【００２２】
ベース部前壁２４ｂは、下壁２４ａの前縁に形成されており、上方に向かって延びている。ベース部左壁２４ｃは、下壁２４ａの左縁に形成されており、上方に向かって延びている。ベース部右壁２４ｄは、下壁２４ａの右縁に形成されており、上方に向かって延びている。ベース部後壁２４ｅは、下壁２４ａの後縁に形成されており、上方に向かって延びている。
【００２３】
第１の筐体２１は、カバー部２３とベース部２４とが互いに重なることによって、形成される。図１に示すように、カバー部前壁２３ｂとベース部前壁２４ｂとが上下方向に重なることによって、第１の筐体２１の前壁２１ｂが形成される。
【００２４】
カバー部左壁２３ｃとベース部左壁２４ｃとが上下方向に重なることによって、第１の筐体２１の左壁２１ｃが形成される。カバー部右壁２３ｄとベース部右壁２４ｄとが上下方向に重なることによって、第１の筐体２１の右壁２１ｄが形成される。カバー部後壁２３ｅとベース部後壁２４ｅとが上下方向に重なることによって、第１の筐体２１の後壁２１ｅが形成される。
【００２５】
表示ユニット３０は、第２の筐体３１と、液晶表示パネル３２と、を備えている。液晶表示パネル３２は、第２の筐体３１に収容されている。液晶表示パネル３２は、画像を表示するスクリーン３２ａを有している。スクリーン３２ａは、第２の筐体３１の前面に形成された開口部３１ａを通じて第２の筐体３１の外方に露出している。
【００２６】
第２の筐体３１は、第１の筐体２１の後端部に、ヒンジ４０（図２に一部示される）を介して支持されている。表示ユニット３０は、閉じ状態と、開き状態との間で回動自由である。閉じ状態は、表示ユニット３０がキーボード２２を上方から覆うようにコンピュータ本体２０の上に横たわる状態である。開き状態は、表示ユニット３０がキーボード２２やスクリーン３２ａを露出させるようにコンピュータ本体２０に対して起立する状態である。
【００２７】
スピーカー装置５０は、第１の筐体２１の内部に収容されている。スピーカー装置５０は、例えば一対備えられている。上壁２３ａには、各スピーカー装置５０から発せられる音を通す貫通孔５１が形成されている。
【００２８】
このため、各スピーカー装置５０は、上壁２３ａに設けられるキーボード２２との干渉を避けるために、第１の筐体２１内の後端部両側に１つずつ配置される。
【００２９】
それゆえ、各スピーカー装置５０は、第１の筐体２１の後端左側部５２と、後端右側部５３とに配置されている。貫通孔５１は、上壁２３ａにおいて、後端左側部５２と、後端右側部５３と、に対応する箇所に１つずつ形成されている。
【００３０】
また、上壁２３ａの後端部には、キーボード押え部材２５が設けられている。それゆえ、キーボード押え部材２５にも、スピーカー装置５０から発せられる音を通す貫通孔２６が形成されている。
【００３１】
第１の筐体２１の後端左側部５２に設けられるスピーカー装置５０と、第１の筐体２１の後端右側部５３とに設けられるスピーカー装置５０とは、同じものであってよい。また、第１の筐体２１の後端左側部５２に設けられるスピーカー装置５０の保持構造と、第１の筐体２１の後端右側部５３に設けられるスピーカー装置５０の保持構造とは、同じであってよい。それゆえ、後端右側部５３に配置されるスピーカー装置５０の保持構造を代表して説明する。
【００３２】
図２は、スピーカー装置５０を通って前後方向に沿うポータブルコンピュータ１０の断面図である。図３は、ポータブルコンピュータ１０の下壁２４ａにおいて、後端右側部５３に設けられるスピーカー装置５０に対応する部位を、外側から見た斜視図である。
【００３３】
図２に示すように、スピーカー装置５０は、スピーカーハウジング５４と、スピーカー本体５５と、を備えている。スピーカー本体５５は、スピーカーハウジング５４内に収容される。
【００３４】
図２と図３とに示すように、下壁２４ａにおいて、スピーカー装置５０が配置されるべき箇所７０には、膨らみ部７１が形成されている。膨らみ部７１は、下壁２４ａの一部が下方に向かって膨らむことによって、形成されている。それゆえ、膨らみ部７１の形状は、上方に向かって開口する凹状になる。
【００３５】
なお、本実施形態では、スピーカー装置５０が配置されるべき箇所７０は、第１の筐体２１の後端左側部５２と後端右側部５３との一部だが、これに限定されない。スピーカー装置５０が配置される箇所は、任意に設定されてよい。
【００３６】
図３に示すように、膨らみ部７１は、膨らみ部本体７２と、膨らみ部本体７２から例えば右側に向かって突出する突部７３と、を有している。
【００３７】
図２に示すように、膨らみ部本体７２は、内側にスピーカーハウジング５４の下端部５４ａの一部を収容できる大きさを有している。スピーカーハウジング５４の下端とは、スピーカーハウジング５４において音がでる面とは反対側の下面５４ｂのことである。
【００３８】
膨らみ部本体７２の内面とスピーカーハウジング５４との間には、緩衝材８０が設けられている。緩衝材８０は、スピーカー装置５０の振動を吸収する。なお、下壁２４ａは、本発明で言う、筐体側の部材の一例である。
【００３９】
スピーカーハウジング５４は、スピーカーハウジング５４の下端部５４ａの一部が膨らみ部本体７２の内側空間７４に収容されるように、第１の筐体２１内に配置される。図４は、スピーカー装置５０の下端部５４ａの一部が膨らみ部本体７２の内側空間７４に収容された状態を、上壁２３ａとキーボード押え部材２５とを一部切り欠いて示す平面図である。なお、図４は、後端左側部５２に配置されるスピーカー装置５０の近傍を示しているが、後端右側部５３に配置されるスピーカー装置５０の近傍も略同様であってよい。
【００４０】
図２と図４とに示すように、基板６０は、スピーカー装置５０の近傍にまで達する大きさを有している。
【００４１】
図４に示すように、第１の筐体２１において、膨らみ部７１の近傍には、カバー部２３とベース部２４とを締結する例えばボルトが通るボス部７５や、基板６０など他の部品を第１の筐体２１内に収容するために用いられる縦壁部７６などが設けられている。これら、ボス部７５や縦壁部７６は、ベース部２４とカバー部２３とのどちらに設けられていてもよい。
【００４２】
それゆえ、ボス部７５や縦壁部７６とスピーカーハウジング５４との間には、緩衝材８０が設けられている。なお、ボス部７５や縦壁部７６は、本発明で言う、筐体側の部材の一例である。
【００４３】
図２に示すように、スピーカーハウジング５４の上方には、ヒンジ４０が位置している。ヒンジ４０には、スピーカーハウジング５４に対応して貫通孔４１が形成されている。
【００４４】
ここで、上壁２３ａとキーボード押え部材２５とに形成される貫通孔５１，２６について説明する。上壁２３ａに形成される貫通孔５１は、スピーカーハウジング５４の上面５４ｃよりも小さい。それゆえ、上壁２３ａに形成される貫通孔５１の縁部５１ａは、スピーカーハウジング５４の上面５４ｃの一部と上下方向に重なる。
【００４５】
図５は、カバー部２３の内側を示す平面図である。図２と図５とに示すように、上壁２３ａに形成される貫通孔５１の縁部５１ａには、緩衝材８０が設けられている。上壁２３ａは、緩衝材８０を介してスピーカーハウジング５４を上側から押えつけることによって、スピーカーハウジング５４の姿勢を保持している。
【００４６】
図２に示すように、上壁２３ａに形成される貫通孔５１の縁部５１ａには、貫通孔５１を覆う覆い部材６１が設けられている。覆い部材６１は、枠部６２と、メッシュ部６３と、を備えている。枠部６２は、貫通孔５１の縁部５１ａに上側から重なる。枠部６２は、内側に孔６４を有する形状である。孔６４は、スピーカーハウジング５４の上面５４ｃと対向する。メッシュ部６３は、枠部６２の内側の孔６４を覆っている。メッシュ部６３は、メッシュ状である。
【００４７】
このように形成される覆い部材６１は、上壁２３ａに形成される貫通孔５１の縁部５１ａに上方から重ねられる。これによって、開口５１は、覆い部材６１によって、覆われる。
【００４８】
キーボード押え部材２５に形成される貫通孔２６は、この貫通孔２６の縁部２６ａが覆い部材６１の枠部６２の外側の一部と上下方向に重なる大きさを有している。それゆえ、キーボード押え部材２５は、上壁２３ａに重ねられると、覆い部材６１の枠部６２を押える。これによって、覆い部材６１は、上壁２３ａとキーボード押え部材２５との間に保持される。
【００４９】
なお、上壁２３ａは、キーボード押え部材２５と覆い部材６１とに対応して、２段下がる形状である。上壁２３ａの１段目の面８１には、覆い部材６１が設けられる。上壁２３ａの２段目の面８２には、キーボード押え部材２５が設けられる。上壁２３ａの２段目の深さは、キーボード押え部材２５の厚みと略同じである。それゆえ、上壁２３ａの上面とキーボード押え部材２５の上面とは、略面一になる。
【００５０】
図３に示すように、突部７３の下面７３ａは、膨らみ部本体７２の下面７２ａと例えば略同じ平面上にある。突部７３の下面７３ａには、ゴム脚８３が設けられている。
【００５１】
図２において、ゴム脚８３を２点鎖線で示す。図２に示すように、本実施形態では、ポータブルコンピュータ１０が台９０の上面９１に置かれたときに、上面９１に向かうゴム脚８３の先端８３ａは、台９０の上面９１に向かって最も突出している。
【００５２】
それゆえ、ポータブルコンピュータ１０を台９０の上面９１の上に置くと、ゴム脚８３は、上面９１と当接する。つまり、膨らみ部７１は、ポータブルコンピュータ１０の脚部として機能する。ゴム脚８３は、滑り止めの機能を有する。台９０は、本発明で言う、載置部の一例である。
【００５３】
なお、ゴム脚８３が台９０の上面９１に向かって最も突出していればいよい。それゆえ、例えば突部７３の下面７３ａが、上面９１に向かって最も突出していなくてもよい。
【００５４】
この場合、下面７３ａにゴム脚８３の高さが足されることによって、ゴム脚８３の先端８３ａが上面９１に向かって最も突出すればよい。
【００５５】
後端左側部５２に設けられるスピーカー装置５０の保持構造も、後端右側部５３に設けられるスピーカー装置５０の保持構造と略同様である。
【００５６】
このように構成されるポータブルコンピュータ１０では、スピーカーハウジング５４の一部は、膨らみ部本体７２の内側空間７４に収容される。それゆえ、スピーカーハウジング５４の高さを、膨らみ部本体７２の内側空間７４の深さ分、高くすることができる。つまり、スピーカーハウジング５４の容積を大きくすることができる。このため、音質は、向上する。
【００５７】
さらに、第１の筐体２１は、膨らみ部７１以外の箇所を大きく形成されることは、ない。それゆえ、第１の筐体２１は、全体を大きくすることなく、容積の大きいスピーカーハウジング５４を収容することができる。
【００５８】
さらに、膨らみ部７１は、下壁２４ａから下方に向かって膨らんでいる。それゆえ、第１の筐体２１は、容積の大きいスピーカーハウジング５４を収容しても、上壁２３ａが上方に向かって膨らむことがない。それゆえ、ポータブルコンピュータ１０の使い勝手は、悪くならない。
【００５９】
したがって、ポータブルコンピュータ１０は、第１の筐体２１の大型化を抑制しつつ、音質が向上し、かつ使い勝手がよくなる。
【００６０】
また、膨らみ部７１は、下壁２４ａの一部を用いて形成することによって形成されるので、形成しやすい。
【００６１】
また、膨らみ部５４は、ポータブルコンピュータ１０の脚部として機能する。それゆえ、下壁２４ａに、別途に脚部を設ける必要がないので、ポータブルコンピュータ１０の形状は、簡素になる。
【００６２】
また、スピーカーハウジング５４と膨らみ部本体７２の内面７２ｂとの間に緩衝材８０が設けられている。スピーカーハウジング５４と縦壁部７６との間に緩衝材８０が設けられている。スピーカーハウジング５４とボス部７５との間に緩衝材８０が設けられている。
【００６３】
これら緩衝材８０は、スピーカーハウジング５４の振動を吸収する。このように、緩衝材８０が第１の筐体２１側の部材とスピーカーハウジング５４との間に設けられることによって、スピーカーハウジング５４の振動が第１の筐体２１に伝わることが抑制される。
【００６４】
つぎに、本発明の第２の実施形態に係る電子機器を、ポータブルコンピュータ１０を一例に、図６を用いて説明する。なお、第１の実施形態と同様な機能を有する構成は、同一の符号を付して説明を省略する。
【００６５】
本実施形態では、スピーカーハウジング５４の高さが第１の実施形態と異なる。この点について、具体的に説明する。
【００６６】
図６は、第２の実施形態のポータブルコンピュータ１０の、スピーカー装置５０を通る前後方向に沿う断面図である。図６に示すように、本実施形態では、スピーカーハウジング５４の高さは、膨らみ部本体７２の内側空間７４の深さに応じて、高くされていない。スピーカーハウジング５４の高さを、膨らみ部本体７２の内側空間７４の深さに応じて高くしない場合、つまり、スピーカーハウジング５４の容積を大きくしない場合は、スピーカーハウジング５４において下壁２４ａの内面よりも上側の長さは、短くなる。そして、これに伴い、第１の筐体２１の高さを小さくすることができる。
【００６７】
したがって、スピーカーハウジング５４の高さを大きくしない場合は、第１の筐体２１の高さを小さくすることができる。つまり、ポータブルコンピュータ１０は、小型化される。
【００６８】
つぎに、本発明の第３の実施形態に係る電子機器を、ポータブルコンピュータ１０を一例に、図７を用いて説明する。なお、第１の実施形態と同様な機能を有する構成は、同一の符号を付して説明を省略する。
【００６９】
本実施形態では、スピーカーハウジング５４の高さが、第１の実施形態と異なる。この点について、具体的に説明する。
【００７０】
図７は、第３の実施形態のポータブルコンピュータ１０のスピーカー装置５０を通る前後方向に沿う断面図である。図７に示すように、本実施形態では、スピーカーハウジング５４の高さは、膨らみ部本体７２の内側空間７４の深さに応じて、高くされていない。スピーカーハウジング５４の高さを高くしない場合は、スピーカーハウジング５４と上壁２３ａとの間に隙間Ｓが規定される。それゆえ、基板６０は、基板６０の一部が隙間Ｓに入り込むまで、大きくできる。
【００７１】
なお、このような場合は、上壁２３ａには、スピーカーハウジング５４の上面５４ｃまで延びるボス部９２が形成される。そして、ボス部９２とスピーカーハウジング５４との間には、緩衝材８０が設けられる。
【００７２】
また、基板６０とスピーカーハウジング５４との間には、緩衝材８０が設けられる。なお、隙間Ｓに張り込む部品は、基板６０に限定されない。
【００７３】
つぎに、本発明の第４の実施形態に係る電子機器を、ポータブルコンピュータ１０を一例に、図８を用いて説明する。なお、第１の実施形態と同様な機能を有する構成は、同一の符号を付して説明を省略する。
【００７４】
本実施形態では、ゴム脚８３が設けられる箇所が第１の実施形態と異なる。この点について、具体的に説明する。
【００７５】
図８は、第４の実施形態のポータブルコンピュータ１０をスピーカー装置５０を通る前後方向に沿う断面図である。図８に示すように、本実施形態では、ゴム脚８３は、膨らみ部７１の外側周面７８の略全域に設けられている。なお、本実施形態では、突部７３は形成されなくてもよい。
【００７６】
本実施形態では、第１の実施形態と同様な効果を得ることができる。さらに、ゴム脚８３が膨らみ部７１の外側周面７８の略全域に設けられることによって、ゴム脚８３もスピーカー装置５０の振動を効果的に吸収する。
【００７７】
つぎに、本発明の第５の実施形態に係る電子機器を、ポータブルコンピュータ１０を一例に、図９を用いて説明する。なお、第１の実施形態と同様な機能を有する構成は、同一の符号を付して説明を諸略する。
【００７８】
本実施形態では、膨らみ部７１の構造が第１の実施形態と異なる。この点について具体的に説明する。
【００７９】
図９は、第５の実施形態のポータブルコンピュータ１０を、スピーカー装置５０を通る前後方向に沿う断面図である。図９に示すように、下壁２４ａにおいてスピーカー装置５０が形成されるべき箇所７０には、貫通孔９３が形成されている。
【００８０】
貫通孔９３の縁部９３ａには、膨らみ部材９４が設けられている。膨らみ部材９４は、上方に向かって開口する凹状である。膨らみ部材９４は、ゴム製である。膨らみ部材９４は、貫通孔９３を覆う大きさを有している。膨らみ部材９４は、下壁２４ａの下方に向かって膨らんでいる。
【００８１】
本実施形態の膨らみ部７１は、下壁２４ａに形成される貫通孔９３の縁部９３ａに、膨らみ部材９４が設けられることによって形成される。スピーカーハウジング５４の一部は、膨らみ部材９４の内側に収容される。なお、膨らみ部材９４の内側は、内側空間７４のことである。
【００８２】
膨らみ部材９４の下面９４ａは、ポータブルコンピュータ１０が台９０の上面９１上に置かれたときに、上面９１に向かって最も突出する。なお、膨らみ部材９４の下面９４ａは、膨らみ部７１の下面のことである。
【００８３】
ポータブルコンピュータ１０が上面９１に置かれると、膨らみ部材９４の下面９４ａは、台９０の上面９１に当接する。つまり、膨らみ部材９４は、ポータブルコンピュータ１０の脚部として機能する。
【００８４】
また、膨らみ部材９４がゴム製であるので、膨らみ部材９４は、緩衝材としての機能を有するようになる。
【００８５】
本実施形態では、膨らみ部材９４がゴム製であるので、スピーカーハウジング５４と膨らみ部７１と間に緩衝材が必要ない。それゆえ、部品点数が削減される。
【００８６】
また、膨らみ部７１が脚部として機能するので、下壁２４ａには、別途に脚部を形成する必要がない。それゆえ、ポータブルコンピュータ１０の構造は、簡素になる。
【００８７】
つぎに、本発明の第６の実施形態に係る電子機器を、ポータブルコンピュータ１０を一例に、図１０と図１１とを用いて説明する。なお、第１の実施形態と同様な機能を有する構成は、同一の符号を付して説明を省略する。
【００８８】
本実施形態では、膨らみ部７１とは別途に脚部９５が形成される点が、第１の実施形態と異なる。この点について具体的に説明する。
【００８９】
図１０は、第６の実施形態の下壁２４ａを外側からみた斜視図である。図１０に示すように、脚部９５は、例えば下壁２４ａの右縁と膨らみ部７１との間に形成される。図１１は、膨らみ部７１と脚部９５とを通るコンピュータ本体２０の幅方向に沿う断面図である。
【００９０】
図１１に示すように、脚部９５は、例えば下壁２４ａの一部が下方に向かって膨らむことによって形成されている。脚部９５下面９５ａには、ゴム脚８３が設けられている。ポータブルコンピュータ１０が台９０の上面９１に載置されたときに、ゴム脚８３の先端８３ａは、上面９１に向かって最も突出する。
【００９１】
本実施形態であっても、第１の実施形態と同様な効果を得ることができる。
【図面の簡単な説明】
【００９２】
【図１】本発明の第１の実施形態に係るポータブルコンピュータの斜視図。
【図２】図１に示された第１の筐体のスピーカー装置を通る前後方向に沿う断面図。
【図３】図１に示された下壁を外側から見る斜視図。
【図４】図１に示された後端左側部に配置されたスピーカー装置を、上壁の一部とキーボード押え部材の一部を切り欠いて示す平面図。
【図５】図４に示されたカバー部の内側を示す平面図。
【図６】本発明の第２の実施形態に係るポータブルコンピュータの、スピーカー装置を通る前後方向に沿う断面図。
【図７】本発明の第３の実施形態に係るポータブルコンピュータの、スピーカー装置を通る前後方向に沿う断面図。
【図８】本発明の第４の実施形態に係るポータブルコンピュータの、スピーカー装置を通る前後方向に沿う断面図。
【図９】本発明の第５の実施形態に係るポータブルコンピュータの、スピーカー装置を通る前後方向に沿う断面図。
【図１０】本発明の第６の実施形態に係るポータブルコンピュータの下壁を外側から見る斜視図。
【図１１】図１０に示された膨らみ部と脚部とを通るポータブルコンピュータの幅方向に沿う断面図。
【符号の説明】
【００９３】
１０…ポータブルコンピュータ（電子機器）、２１…第１の筐体（筐体）、２４ａ…下壁（筐体側の部材）、５０…スピーカー装置、５４…スピーカーハウジング、５５…スピーカー本体、７１…膨らみ部、７５…ボス部（筐体側の部材）、７６…縦壁部（筐体側の部材）、８０…緩衝材、８３…ゴム脚、９０…台（載置部）、９３…貫通孔、９３ａ…縁部、９４…膨らみ部材。
【図１】
2006311388.tif 000003
【図２】
2006311388.tif 000004
【図３】
2006311388.tif 000005
【図４】
2006311388.tif 000006
【図５】
2006311388.tif 000007
【図６】
2006311388.tif 000008
【図７】
2006311388.tif 000009
【図８】
2006311388.tif 000010
【図９】
2006311388.tif 000011
【図１０】
2006311388.tif 000012
【図１１】
2006311388.tif 000013